(57)【要約】【課題】読み取った原稿の画像のうち確認に適した箇所を表示する画像処理プログラム及び画像処理装置を提供する。【解決手段】画像処理装置１は、光学走査部１４に原稿２を光学走査させ生成された原稿画像情報１１２の特微量に基づいて特定のページ及び当該特定のページの一部の領域の拡大画像を表示部１２にプレビュー表示する原稿画像プレビュー手段１０１を有する。また、原稿画像プレビュー手段１０１は、原稿画像情報１１２の各ページの画像の変化点を特微量として抽出してもよい。【選択図】図２
2016063349.tif 000002
【特許請求の範囲】
【請求項１】
コンピュータを、
光学走査部が原稿を光学走査して生成された原稿画像情報の各ページの画像の特徴量に基づいて特定のページを表示処理するプレビュー手段として機能させる画像処理プログラム。
【請求項２】
前記プレビュー手段は、前記特定のページの一部の領域を拡大して表示処理する請求項１に記載の画像処理プログラム。
【請求項３】
前記プレビュー手段は、前記特定のページを１ページ目以外とする請求項１又は２に記載の画像処理プログラム。
【請求項４】
前記プレビュー手段は、前記特定のページを予め定められたページとする請求項１−３のいずれか１項に記載の画像処理プログラム。
【請求項５】
前記プレビュー手段は、前記原稿画像情報の各ページの画像の変化点を前記特徴量として抽出する請求項１−４のいずれか１項に記載の画像処理プログラム。
【請求項６】
光学走査部が原稿を光学走査して生成された原稿画像情報の各ページの画像の特徴量に基づいて特定のページを表示処理するプレビュー手段を有する画像処理装置。
【発明の詳細な説明】
【技術分野】
【０００１】
本発明は、画像処理プログラム及び画像処理装置に関する。
【背景技術】
【０００２】
従来の技術として、読み取った画像の中に白紙がある場合に読取画像をプレビュー表示する画像形成装置が提案されている（例えば、特許文献１参照）。
【０００３】
特許文献１に開示された画像形成装置は、原稿読取手段と、原稿読取手段により読み込んだ原稿画像情報の中から白紙の画像情報を検出する白紙検出手段と、白紙検出手段が検出した白紙の画像情報を除く原稿画像情報についてプレビュー表示する表示手段とを有し、表示手段により表示された内容を利用者に確認させる。
【先行技術文献】
【特許文献】
【０００４】
【特許文献１】特開２０１０−１６７７０号公報
【発明の概要】
【発明が解決しようとする課題】
【０００５】
本発明の目的は、読み取った原稿の画像のうち確認に適した箇所を表示する画像処理プログラム及び画像処理装置を提供することにある。
【課題を解決するための手段】
【０００６】
本発明の一態様は、上記目的を達成するため、以下の画像処理プログラム及び画像処理装置を提供する。
【０００７】
［１］コンピュータを、
光学走査部が原稿を光学走査して生成された原稿画像情報の各ページの画像の特徴量に基づいて特定のページを表示処理するプレビュー手段として機能させる画像処理プログラム。
［２］前記プレビュー手段は、前記特定のページの一部の領域を拡大して表示処理する前記［１］に記載の画像処理プログラム。
［３］前記プレビュー手段は、前記特定のページを１ページ目以外とする前記［１］又は［２］に記載の画像処理プログラム。
［４］前記プレビュー手段は、前記特定のページを予め定められたページとする前記［１］−［３］のいずれかに記載の画像処理プログラム。
［５］前記プレビュー手段は、前記原稿画像情報の各ページの画像の変化点を前記特徴量として抽出する前記［１］−［４］のいずれかに記載の画像処理プログラム。
［６］光学走査部が原稿を光学走査して生成された原稿画像情報の各ページの画像の特徴量に基づいて特定のページを表示処理するプレビュー手段を有する画像処理装置。
【発明の効果】
【０００８】
請求項１又は６に係る発明によれば、読み取った原稿の画像のうち確認に適した箇所を表示することができる。
請求項２に係る発明によれば、特定のページの一部の領域を拡大して表示処理することができる。
請求項３に係る発明によれば、１ページ目以外を特定のページとすることができる。
請求項４に係る発明によれば、予め定めたページを特定のページとすることができる。
請求項５に係る発明によれば、各ページの画像の変化点に基づいて特定のページを定めることができる。
【図面の簡単な説明】
【０００９】
【図１】図１は、実施の形態に係る本発明の通信システムの構成例を示す概略図である。
【図２】図２は、画像処理装置の構成例を示すブロック図である。
【図３】図３は、原稿画像プレビュー手段が表示部に表示するプレビュー表示画面の構成例を示す概略図である。
【図４】図４は、画像処理装置の動作例を示すフローチャートである。
【発明を実施するための形態】
【００１０】
［実施の形態］
（通信システムの構成）
図１は、実施の形態に係る本発明の通信システムの構成例を示す概略図である。
【００１１】
この通信システムは、画像処理装置１と、外部の画像処理装置４Ａ及び４Ｂとを例えば公衆網であるネットワーク５を介して通信可能に接続されて構成されており、画像処理装置１と外部の画像処理装置４Ａ及び４Ｂとの間で一例としてファクシミリ（以下、「ＦＡＸ」という。）の方式によって情報の送受信を行う。
【００１２】
画像処理装置１は、ＦＡＸ送受信機能、プリンタ、スキャナ、コピー機能を有する装置であって、情報を処理するための機能を有するＣＰＵ（Ｃｅｎｔｒａｌ  Ｐｒｏｃｅｓｓｉｎｇ  Ｕｎｉｔ）やフラッシュメモリ等の電子部品を備える。画像処理装置１は、原稿２を光学走査部１４において読み取り、表示部１２に読み取り結果を表示して、ＦＡＸ通信部１６においてＦＡＸ送信を行う。
【００１３】
タブレット端末３は、画像処理装置１と一例として無線で通信し、画像処理装置１が光学走査部１４において読み取った原稿２の読み取り結果を表示するとともに、読み取った原稿２の画像をＦＡＸ送信するよう画像処理装置１を制御する。
【００１４】
画像処理装置４Ａ及び４Ｂは、ＦＡＸ送受信機能を有していればよく、画像処理装置１から送信される情報を受信して印刷又は表示するものであり、例えば、プリンタであるが、画像処理装置１から送信される情報を受信して表示のみするＰＣ、タブレット端末、携帯電話等であってもよい。
【００１５】
ネットワーク５は、例えば、電気通信事業者が設営した有料の通信ネットワークであり、公衆交換通信網（ＰＳＴＮ：Ｐｕｂｌｉｃ  Ｓｗｉｔｃｈｅｄ  Ｔｅｌｅｐｈｏｎｅ  Ｎｅｔｗｏｒｋｓ）やＩＰ通信網等の外部ネットワークである。
【００１６】
図２は、画像処理装置１の構成例を示すブロック図である。
【００１７】
画像処理装置１は、ＣＰＵ等から構成され、各部を制御するとともに、各種のプログラムを実行する制御部１０と、フラッシュメモリ等の記憶媒体から構成され情報を記憶する記憶部１１と、文字や画像等を表示する表示部１２と、画像処理装置１を操作するための操作部１３と、文字や画像等の書き込まれた用紙を光学走査する光学走査部１４と、用紙に印刷を実行する印刷部１５と、ネットワーク５を介して外部とＦＡＸの方式で通信するＦＡＸ通信部１６と、一例として無線により外部と通信する通信部１７とを備える。
【００１８】
制御部１０は、後述する画像処理プログラム１１０を実行することで、光学走査制御手段１００、原稿画像プレビュー手段１０１、光学走査設定手段１０２及びＦＡＸ通信制御手段１０３等として機能する。
【００１９】
光学走査制御手段１００は、光学走査設定情報１１１に基づいて解像度、サイズ、カラー／モノクロ等の光学走査部１４の原稿読取条件を設定するとともに、光学走査部１４を制御して原稿２を読み取る。
【００２０】
原稿画像プレビュー手段１０１は、光学走査部１４が原稿２を読み取った結果生成された原稿画像情報１１２からプレビュー画像を生成して、表示処理し、表示部１２に表示させる。
【００２１】
光学走査設定手段１０２は、操作部１３を介した利用者の操作に基づき、光学走査設定情報１１１の原稿２の読取条件を設定する。
【００２２】
ＦＡＸ通信制御手段１０３は、ＦＡＸ通信部１６を制御して、宛先情報１１３の宛先又は利用者によって操作部１３を介して入力された宛先に、原稿画像情報１１２を送信する。
【００２３】
記憶部１１は、制御部１０を上述した各手段１００−１０３として動作させる画像処理プログラム１１０、光学走査設定情報１１１、原稿画像情報１１２及び宛先情報１１３等を記憶する。
【００２４】
（画像処理装置の動作）
以下に、実施の形態の画像処理装置１の動作を図１−図４を参照しつつ、（１）基本動作、（２）プレビュー動作及び（３）ＦＡＸ送信動作に分けて説明する。
【００２５】
（１）基本動作
図４は、画像処理装置１の動作例を示すフローチャートである。
【００２６】
まず、画像処理装置１の利用者は、操作部１３を操作し、ＦＡＸ受付の準備をする。
【００２７】
画像処理装置１は、利用者の操作に応じてＦＡＸ送信要求の受付を開始し（Ｓ１；Ｙｅｓ）、送信先の電話番号の選択又は入力を受け付けるとともに、光学走査部１４の原稿台にＦＡＸ送信する対象となる原稿２をセットするよう利用者に促す。
【００２８】
利用者は、送信先の電話番号を選択又は入力するとともに、原稿２を原稿台にセットし、原稿２を光学走査部１４において読み取らせるため操作部１３を操作する。
【００２９】
画像処理装置１の光学走査制御手段１００は、光学走査設定情報１１１に基づいて光学走査部１４に対する解像度、サイズ、カラー／モノクロ等の原稿読取条件を設定し、当該条件で光学走査部１４を制御して原稿２を読み取る（Ｓ２）。ここでは、一例として、解像度４００ｄｐｉ、サイズＡ４、モノクロが原稿読取のデフォルトとして光学走査設定情報１１１に設定されているものとする。なお、光学走査設定情報１１１は、工場出荷時に予め設定されているものであってもよいし、利用者によって設定されるものであってもよい。また、ネットワーク５の通信品質を取得して、当該通信品質に基づいて設定されるものであってもよい。
【００３０】
光学走査部１４は、原稿２を読み取って原稿画像情報１１２を生成して記憶部１１に格納する（Ｓ３）。
【００３１】
（２）プレビュー動作
次に、原稿画像プレビュー手段１０１は、光学走査部１４が原稿２を読み取った結果生成された原稿画像情報１１２のうち、表示するべき特定のページを決定して（Ｓ４）、表示部１２に表示する（Ｓ５）。ここでは、原稿画像プレビュー手段１０１は、一例として、原稿画像情報１１２の２ページ目のプレビュー画像を生成し、表示部１２に表示する。これは、ＦＡＸ送信において１ページ目にカバーシートが挿入される場合が多く、当該カバーシートは宛先や送信原稿の内容を説明するものであって原稿そのものの内容を示すものではないためである。カバーシートの有無を検出できる場合は、カバーシートが有る場合に１ページ目以外を特定のページに決定し、カバーシートが無い場合に１ページ目を特定のページを決定するようにしてもよい。
【００３２】
なお、特定のページは、上記したように予め定めたページにする場合は、２ページ目に限らず、最後のページにしてもよいし、任意のページを選択してもよい。また、偶数ページや、奇数ページ等の予め定めた複数のページを特定のページとしてもよい。なお、予め定めたページは、工場出荷時に予め設定されているものであってもよいし、利用者によって設定されるものであってもよい。また、予め定めたページの設定のタイミングは、原稿２の読み取り設定時に行ってもよい。
【００３３】
また、予め定めたページだけでなく、小さなサイズの文字が多いページや複雑な画像が描画されたページを、モノクロであれば白黒の変化点等の画像の特徴量を抽出して、当該特徴量が予め定めた閾値を超える場合に又は当該特徴量が他のページに比べて大きい又は小さい場合に、自動的に特定のページとしてもよい。また、白紙のページを特定のページから除くようにしてもよい。
【００３４】
また、原稿画像プレビュー手段１０１は、ステップＳ４で決定した特定のページのうち一部の領域を拡大表示する（Ｓ６）。当該領域は特定のページ内を利用者の操作に従って移動する。なお、原稿画像プレビュー手段１０１は、特定のページ全体を表示せず、拡大した一部の領域のみ表示するようにしてもよい。
【００３５】
図３は、原稿画像プレビュー手段１０１が表示部１２に表示するプレビュー表示画面の構成例を示す概略図である。
【００３６】
プレビュー表示画面１２ａは、送信先の電話番号等を表示する宛先１２０と、原稿読取の読取条件を表示する設定１２１と、プレビュー画像１０１ａを表示するプレビュー画像表示領域１２２と、プレビュー画像１０１ａを拡大表示する一部の領域を示す拡大枠１２３と、一部の領域を拡大した内容を表示する拡大表示１２４と、プレビュー画像１０１ａに該当する原稿画像情報１１２を送信するための送信ボタン１２５と、原稿画像情報１１２の他のページをプレビュー画像とするためのページ変更ボタン１２６と、原稿２の読取条件を変更するためのボタン１２７とを有する。
【００３７】
利用者は、プレビュー表示画面１２ａを確認し、操作部１３を操作して、原稿画像情報１１２の内容を確認し、問題がなければ送信ボタン１２５を操作する（Ｓ７）。
【００３８】
また、利用者がプレビュー表示画面１２ａを確認し、原稿画像情報１１２の内容を確認して問題があった場合、送信ボタン１２５を操作せず（Ｓ７；Ｎｏ）、読取条件を変更すべくボタン１２７を操作する。
【００３９】
光学走査設定手段１０２は、操作部１３を介した利用者の操作に基づき、光学走査設定情報１１１の原稿２の読取条件を変更する（Ｓ９）。その後、画像処理装置１は、新たに設定された読取条件で原稿２の読み取り及び新たに生成された原稿画像情報１１２のプレビュー処理を行う。
【００４０】
（３）ＦＡＸ送信動作
次に、ＦＡＸ通信制御手段１０３は、送信ボタン１２５の操作を受け付けると（Ｓ７；Ｙｅｓ）、ＦＡＸ通信部１６を制御して、宛先情報１１３の宛先又は利用者によって操作部１３を介して入力された宛先に、原稿画像情報１１２を送信する（Ｓ８）。
【００４１】
（実施の形態の効果）
上記した実施の形態によれば、光学走査設定情報１１１で生成した原稿画像情報１１２のうち、特定のページのプレビュー画像を表示部１２に表示するようにしたため、読み取った原稿の画像のうち確認に適した箇所を表示することができ、利用者が内容を確認する際の手間を低減できる。
【００４２】
［他の実施の形態］
なお、本発明は、上記実施の形態に限定されず、本発明の要旨を逸脱しない範囲で種々な変形が可能である。例えば、プレビュー画像は、タブレット端末３の表示部に表示されるものであってもよい。
【００４３】
利用者は、プレビュー表示画面を確認し、タブレット端末３の操作部としてのタッチパネルを操作して、送信ボタンを操作する。
【００４４】
タブレット端末３の表示部にプレビュー画像を表示することにより、画像処理装置１の表示部１２に表示する場合に比べて、より詳細にプレビュー画像を表示することができ、操作部１３を操作することなくタブレット端末３単体でプレビュー画像を選択する操作をすることができる。
【００４５】
また、上記した実施の形態はＦＡＸを送信する場合について説明したが、光学走査することで生成される画像情報を扱うものであれば、コピーをする場合やメールに添付して送信する場合にも同様に本発明を適用することができる。
【００４６】
また、上記画像処理プログラム１１０をＣＤ−ＲＯＭ等の記憶媒体に格納して提供することも可能であり、インターネット等のネットワークに接続されているサーバ装置等から装置内の記憶部にダウンロードしてもよい。また、各手段１００−１０３の一部又は全部をＡＳＩＣ等のハードウェアによって実現してもよい。なお、上記実施の形態の動作説明で示した各ステップは、順序の変更、ステップの省略、追加が可能である。
【符号の説明】
【００４７】
１     画像処理装置
２     原稿
３     タブレット端末
４Ａ、４Ｂ    画像処理装置
５     ネットワーク
１０   制御部
１１   記憶部
１２   表示部
１２ａ プレビュー表示画面
１３   操作部
１４   光学走査部
１５   印刷部
１６   ＦＡＸ通信部
１７   通信部
１００ 光学走査制御手段
１０１ 原稿画像プレビュー手段
１０２ 光学走査設定手段
１０３ ＦＡＸ通信制御手段
１１０ 画像処理プログラム
１１１ 光学走査設定情報
１１２ 原稿画像情報
１１３ 宛先情報
【図１】
2016063349.tif 000003
【図２】
2016063349.tif 000004
【図３】
2016063349.tif 000005
【図４】
2016063349.tif 000006